【手続補正書】
【提出日】平成26年6月27日(2014.6.27)
【手続補正１】
【補正対象書類名】明細書
【補正対象項目名】００１６
【補正方法】変更
【補正の内容】
【００１６】
本発明は、色を測定するセンサを少なくとも１つ有する測定器を有する第２の画像形成装置と通信可能な第１の画像形成装置であって、前記第２の画像形成装置における測定器を構成するセンサの数に関する情報と、前記測定器におけるセンサの配置位置に関する情報と、測定対象のチャート画像において前記測定器が測定可能な範囲に関する情報と、前記測定器が測定可能な前記チャート画像上のパッチサイズに関する情報を含む測定器情報を取得する取得手段と、前記取得手段にて取得した測定器情報を用いてチャート画像を生成するチャート画像生成手段と、前記生成手段にて生成されたチャート画像を測定するための条件を含む測定チャート情報を前記第２の画像形成装置に送信する送信手段と、前記送信手段によって送信された測定チャート情報を用いて前記第２の画像形成装置にて前記チャート画像の測定結果から取得されるデータであり、前記第２の画像形成装置から送信される、色再現特性を補正するためのデータを受信する受信手段と、前記受信手段にて受信したデータを用いて画像を形成する画像形成手段とを備えることを特徴とする。
【手続補正２】
【補正対象書類名】特許請求の範囲
【補正対象項目名】全文
【補正方法】変更
【補正の内容】
【特許請求の範囲】
【請求項１】
色を測定するセンサを少なくとも１つ有する測定器を有する第２の画像形成装置と通信可能な第１の画像形成装置であって、
前記第２の画像形成装置における測定器を構成するセンサの数に関する情報と、前記測定器におけるセンサの配置位置に関する情報と、測定対象のチャート画像において前記測定器が測定可能な範囲に関する情報と、前記測定器が測定可能な前記チャート画像上のパッチサイズに関する情報を含む測定器情報を取得する取得手段と、
前記取得手段にて取得した測定器情報を用いてチャート画像を生成するチャート画像生成手段と、
前記生成手段にて生成されたチャート画像を測定するための条件を含む測定チャート情報を前記第２の画像形成装置に送信する送信手段と、
前記送信手段によって送信された測定チャート情報を用いて前記第２の画像形成装置にて前記チャート画像の測定結果から取得されるデータであり、前記第２の画像形成装置から送信される、色再現特性を補正するためのデータを受信する受信手段と、
前記受信手段にて受信したデータを用いて画像を形成する画像形成手段と
を備えることを特徴とする第１の画像形成装置。
【請求項２】
前記受信手段は、前記データとして、前記測定チャート情報に基づいて色再現特性が補正された補正テーブルを受信することを特徴とする請求項１に記載の第１の画像形成装置。
【請求項３】
前記受信手段は、前記データとして、前記測定チャート情報を用いて測定された測定データを受信し、
前記受信手段にて受信した測定データを用いて色再現特性を補正する補正テーブルを生成する補正テーブル生成手段をさらに備え、
前記第１の画像形成装置は、前記補正テーブル生成手段にて生成した補正テーブルを用いて画像を形成することを特徴とする請求項１に記載の第１の画像形成装置。
【請求項４】
補正実行指示の入力を受け付ける入力手段と、
前記補正実行指示の入力に応じて前記第２の画像形成装置に測定器情報を要求する要求手段とをさらに備え、
前記取得手段は、前記要求手段による要求に対して前記第２の画像形成装置から送信された測定器情報を取得することを特徴とする請求項１に記載の第１の画像形成装置。
【請求項５】
前記入力手段は、前記第１の画像形成装置と通信可能な情報処理装置からの補正実行指示の入力を受け付けることを特徴とする請求項４に記載の第１の画像形成装置。
【請求項６】
前記測定チャート情報は、少なくとも補正テーブルの格子点数、データビット深度、補正ターゲット情報とを含むことを特徴とする請求項１に記載の第１の画像形成装置。
【請求項７】
第１の画像形成装置と通信可能な、色を測定するセンサを少なくとも１つ有する測定器を有する第２の画像形成装置であって、
前記測定器を構成するセンサの数に関する情報と、前記測定器におけるセンサの配置位置に関する情報と、測定対象のチャート画像において前記測定器が測定可能な範囲に関する情報と、前記測定器が測定可能な前記チャート画像上のパッチサイズに関するパッチサイズに関する情報を含む測定器情報を前記１の画像形成装置に送信する測定器情報送信手段と、
前記測定器情報を用いて前記第１の画像形成装置で生成されたチャート画像を測定するための条件を含む測定チャート情報を前記第１の画像形成装置から受信する測定チャート情報受信手段と、
前記第１の画像形成装置で生成されたチャート画像を、前記センサを有する測定器と前記測定チャート情報受信手段にて受信した前記測定チャート情報とを用いて測定して前記第１の画像形成装置の色再現特性を補正するためのデータを生成するデータ生成手段と、
前記データ生成手段にて生成したデータを前記第１の画像形成装置に送信するデータ送信手段と
を備えることを特徴とする第２の画像形成装置。
【請求項８】
前記データ生成手段は、前記データとして、前記測定チャート情報に基づいて色再現特性を補正した補正テーブルを生成することを特徴とする請求項７に記載の第２の画像形成装置。
【請求項９】
前記データ生成手段は、前記データとして、前記測定チャート情報を用いて測定された測定データを生成することを特徴とする請求項７に記載の第２の画像形成装置。
【請求項１０】
補正実行指示の入力を受け付ける入力手段をさらに備え、
前記測定器情報送信手段は、前記補正実行指示の入力を受けると前記第１の画像形成装置に測定器情報を送信することを特徴とする請求項７に記載の第２の画像形成装置。
【請求項１１】
前記センサを有する測定器を用いた測定の中断指示の入力を受け付ける中断指示入力手段と、
前記中断指示の入力された場合に、前記中断した処理の再開指示の入力を受け付ける再開指示入力手段と
をさらに備えることを特徴とする請求項７に記載の第２の画像形成装置。
【請求項１２】
前記測定チャート情報は、少なくとも補正テーブルの格子点数、データビット深度、補正ターゲット情報とを含むことを特徴とする請求項７に記載の第２の画像形成装置。
【請求項１３】
前記センサを有する測定器は、第２の画像処理装置の紙搬送部であり、該紙搬送部にある定着器よりも後ろに設けられていることを特徴とする請求項７に記載の第２の画像形成装置。
【請求項１４】
色を測定するセンサを少なくとも１つ有する測定器を有する第２の画像形成装置と通信可能な第１の画像形成装置の制御方法であって、
前記第２の画像形成装置における測定器を構成するセンサの数に関する情報と、前記測定器におけるセンサの配置位置に関する情報と、測定対象のチャート画像において前記測定器が測定可能な範囲に関する情報と、前記測定器が測定可能な前記チャート画像上のパッチサイズに関する情報を含む測定器情報を取得する取得ステップと、
前記取得ステップにて取得した測定器情報を用いてチャート画像を生成するチャート画像生成ステップと、
前記生成ステップにて生成されたチャート画像を測定するための条件を含む測定チャート情報を前記第２の画像形成装置に送信する送信ステップと、
前記送信ステップによって送信された測定チャート情報を用いて前記第２の画像形成装置にて前記チャート画像の測定結果から取得されるデータであり、前記第２の画像形成装置から送信される、色再現特性を補正するためのデータを受信する受信ステップと、
前記受信ステップにて受信したデータを用いて画像を形成する画像形成ステップとを備えることを特徴とする第１の画像形成装置の制御方法。
【請求項１５】
第１の画像形成装置と通信可能な、色を測定するセンサを少なくとも１つ有する測定器を有する第２の画像形成装置の制御方法であって、
前記測定器を構成するセンサの数に関する情報と、前記測定器におけるセンサの配置位置に関する情報と、測定対象のチャート画像において前記測定器が測定可能な範囲に関する情報と、前記測定器が測定可能な前記チャート画像上のパッチサイズに関するパッチサイズに関する情報を含む測定器情報を前記１の画像形成装置に送信する測定器情報送信ステップと、
前記測定器情報を用いて前記第１の画像形成装置で生成されたチャート画像を測定するための条件を含む測定チャート情報を前記第１の画像形成装置から受信する測定チャート情報受信ステップと、
前記第１の画像形成装置で生成されたチャート画像を、前記センサを有する測定器と前記測定チャート情報受信ステップにて受信した前記測定チャート情報とを用いて測定して前記第１の画像形成装置の色再現特性を補正するためのデータを生成するデータ生成ステップと、
前記データ生成ステップにて生成したデータを前記第１の画像形成装置に送信するデータ送信ステップと
を備えることを特徴とする第２の画像形成装置の制御方法。
【請求項１６】
コンピュータを、請求項１から１３のいずれかに記載の第１の画像形成装置または第２の画像形成装置として機能させるためのプログラム。